(57)【要約】ローラマッサージシステムは、対向する調節可能離間関係にある一対のローラマッサージアセンブリを提供し、前記身体の対応するマッサージ可能部分上の対のローラマッサージアセンブリのそれぞれの係合を可能にする。本発明の別の実質的目的は、ローラアセンブリのそれぞれを身体の対応するマッサージ可能部分上に係合する際に有用である、実質的に平行の対向する関係を維持しながら、対のローラマッサージアセンブリが、閉鎖状態と開放状態との間を進行することを可能にするように機能する、第１および第２の対のハンドル支持体を有する、ローラマッサージシステムを提供することであり得る。
2014532522.tif 000002
【特許請求の範囲】
【請求項１】
マッサージの方法であって、
ａ）隣接関係にある閉鎖状態から、ある距離だけ離れた開放状態に向かって、一対のローラアセンブリを引っ張るステップであって、前記ローラアセンブリは、前記対のローラアセンブリを前記閉鎖状態に向かって戻るように作用する、１つ以上の弾性要素に応答する、ステップと、
ｂ）前記対のローラアセンブリを身体のマッサージ可能部分を中心として対向する関係に配置するステップと、
ｃ）前記対のローラアセンブリを前記閉鎖状態に向かって戻し、前記身体の前記マッサージ可能部分に係合させるステップと、
ｄ）前記身体の前記マッサージ可能部分上の前記対のローラアセンブリに進行を生じさせるステップと、
ｅ）前記身体の前記マッサージ可能部分をマッサージするステップと
を含む、方法。
【請求項２】
対応するように、一対のハンドルに回転可能に結合される、前記対のローラアセンブリを取得するステップをさらに含み、前記対のハンドルは、対応するように、第１の横材端に近接して、かつ第２の横材端に近接して、横材に枢動可能に結合される、請求項１に記載の方法。
【請求項３】
前記弾性要素は、弾力的に可撓性である横材を備え、かつ弾力的に撓曲する前記横材をさらに備え、前記対のローラアセンブリを前記開放状態に向かって引っ張る、請求項２に記載の方法。
【請求項４】
前記弾性要素は、一対の延在バネを備え、それぞれ、前記横材に結合される、第１のバネ端を有し、それぞれ、前記対のハンドルの対応する１つの移動に応答する、第２のバネ端を有し、前記対の延在バネを伸展させ、前記対のローラアセンブリを前記開放状態に向かって引っ張るステップをさらに含む、請求項２に記載の方法。
【請求項５】
前記弾性要素は、一対のねじりバネを備え、それぞれ、前記横材に結合される、第１のバネ端を有し、それぞれ、前記対のハンドルの対応する１つの移動に応答する、第２のバネ端を有し、バネ軸を中心として、前記ねじりバネを捻転させ、前記対のローラアセンブリを前記開放状態に向かって引っ張るステップをさらに含む、請求項２に記載の方法。
【請求項６】
対応する一対の手と前記対のハンドルを把持するように係合させるステップをさらに含む、請求項２に記載の方法。
【請求項７】
ａ）前記対のローラアセンブリを前記開放状態に向かって引っ張るステップと、
ｂ）前記身体の前記マッサージ可能部分を中心として、前記対のローラアセンブリを対向する関係から除去するステップと、
ｃ）前記対のローラアセンブリを解放し、前記対のローラアセンブリを前記閉鎖状態に向かって戻すステップと
をさらに含む、請求項２に記載の方法。
【請求項８】
前記対のローラアセンブリを解放するステップは、対応するように、前記対のローラアセンブリに回転可能に結合される、一対のハンドルの把持係合を解放するステップを含む、請求項７に記載の方法。
【請求項９】
マッサージデバイスであって、
ａ）第１の横材端と第２の横材端との間に配置される長さを有する、横材と、
ｂ）対応するように、前記第１の横材端および前記第２の横材端に結合される、一対のハンドルと、
ｃ）対応するように、前記対のハンドルに回転可能に結合される、一対のローラアセンブリであって、概して、前記対のハンドル間に隣接関係にあるように配置される、一対のローラアセンブリと
を備える、デバイス。
【請求項１０】
前記対のハンドルはそれぞれ、
ａ）第１のハンドル端と第２のハンドル端との間に配置される、ハンドルグリップと、
ｂ）対応するように、前記第１のハンドル端および前記第２のハンドル端に結合される、一対の心棒支持体であって、前記ハンドルグリップから外向きに、ある距離だけ延在する、一対の心棒支持体と
を備える、請求項９に記載のマッサージデバイス。
【請求項１１】
前記対のローラアセンブリの１つは、一対の心棒のそれぞれに回転可能に結合し、前記対の心棒はそれぞれ、対応するように、前記対の心棒支持体に結合する、第１の心棒端および第２の心棒端を有する、請求項１０に記載のマッサージデバイス。
【請求項１２】
前記対の心棒に回転可能に結合される、前記対のローラアセンブリはそれぞれ、前記対のローラアセンブリの１つの外側周縁と前記対のハンドルの１つとの間に貫通部を画定し、各前記貫通部は、十分な寸法関係を有し、手が、対応する１つの前記対のローラアセンブリの前記外側周縁に係合せずに、把持するように、前記ハンドルの前記ハンドルグリップに係合することを可能にする、請求項１１に記載のマッサージデバイス。
【請求項１３】
前記対のローラアセンブリはそれぞれ、複数のローラ要素を備え、前記複数のローラ要素はそれぞれ、離散するように、前記対の心棒の対応する１つに回転可能に結合される、請求項１２に記載のマッサージデバイス。
【請求項１４】
前記対の心棒はそれぞれ、線形構成を有し、前記対のローラアセンブリはそれぞれ、複数のローラ要素を有する、一体型ローラを備える、請求項１２に記載のマッサージデバイス。
【請求項１５】
前記一体型ローラは、一対の端部分間に配置される、中間部分を有し、前記中間部分における前記複数のローラ要素は、前記対の端部分のそれぞれにおける前記複数のローラ要素より小さい直径を有する、請求項１４に記載のマッサージデバイス。
【請求項１６】
前記複数のローラ要素はそれぞれ、直径約１インチ〜約３インチを有する、請求項１３に記載のマッサージデバイス。
【請求項１７】
前記複数のローラ要素はそれぞれ、厚さ約３／８インチ〜約１／２インチインチを有する、請求項１６に記載のマッサージデバイス。
【請求項１８】
前記複数のローラ要素は、前記心棒に沿って、離間係合を有する、請求項１３に記載のマッサージデバイス。
【請求項１９】
離間係合は、ローラ間空間約１／８インチ〜約１／２インチインチを備える、請求項１８に記載のマッサージデバイス。
【請求項２０】
前記複数のローラ要素のそれぞれの前記外側周縁は、円形外側周縁、楕円形外側周縁、六角形外側周縁、七角形外側周縁、八角形外側周縁から成る群から選択される、請求項１３に記載のマッサージデバイス。
【請求項２１】
前記複数のローラ要素は、前記心棒に沿って、隣接係合を有する、請求項１３に記載のマッサージデバイス。
【請求項２２】
前記心棒は、前記第１の心棒端と前記第２の心棒端との間にある曲率量を有する、請求項１９に記載のマッサージデバイス。
【請求項２３】
前記第１の心棒端と前記第２の心棒端との間の前記曲率量は、半径約１２インチ〜約３０インチを画定する、請求項２２に記載のマッサージデバイス。
【請求項２４】
前記ローラ要素はそれぞれ、前記心棒に回転可能に係合されるハブ要素を中心として結合される、環状部材を含む、請求項１３に記載のマッサージデバイス。
【請求項２５】
前記環状部材は、実質的に、剛性環状部材を備える、請求項２４に記載のマッサージデバイス。
【請求項２６】
前記環状部材は、弾力のある弾性環状部材を備える、請求項２４に記載のマッサージデバイス。
【請求項２７】
前記弾力のある弾性部材は、ポリウレタンエラストマーから形成される、請求項２６に記載のマッサージデバイス。
【請求項２８】
前記エラストマーは、硬度約５０Ａ〜約９０Ａを有する、請求項２７に記載のマッサージデバイス。
【請求項２９】
第１の対のハンドル支持体をさらに備え、前記第１の対のハンドル支持体はそれぞれ、第１のハンドル支持体端と第２のハンドル支持体端との間に配置される長さを有し、前記第１のハンドル支持体端は、対応するように、前記第１の横材端および前記第２の横材端に近接して枢動可能に結合され、前記第２のハンドル支持体端は、対応するように、前記第１のハンドル端に近接して枢動可能に結合される、請求項１３に記載のマッサージデバイス。
【請求項３０】
第２の対のハンドル支持体をさらに備え、前記第２の対のハンドル支持体はそれぞれ、第１のハンドル支持体端と第２のハンドル支持体端との間に配置される長さを有し、前記第１のハンドル支持体端は、対応するように、前記第１の対のハンドル支持体から内向きに、前記横材に枢動可能に結合され、前記第２のハンドル支持体端は、対応するように、前記対の心棒支持体に枢動可能に結合される、請求項２９に記載のマッサージデバイス。
【請求項３１】
１つ以上の弾性要素をさらに備え、前記対のハンドルは、前記弾性要素に回転可能に応答し、前記対のローラアセンブリ間の距離を短縮させる、請求項３０に記載のマッサージデバイス。
【請求項３２】
前記横材は、より大きな距離を空けて離れるように、前記対のローラマッサージアセンブリを配置するように、力を込めた付勢に応じて、弾力的に撓曲する、請求項１３に記載のマッサージデバイス。
【請求項３３】
前記１つ以上の弾性要素は、一対の延在バネを備え、それぞれ、前記横材に結合される、第１のバネ端を有し、それぞれ、前記対のハンドルの対応する１つの移動に応答する、第２のバネ端を有し、前記対の延在バネを伸展させ、前記対のローラアセンブリを前記開放状態に向かって引っ張るステップをさらに含む、請求項３１に記載のマッサージデバイス。
【請求項３４】
前記１つ以上の弾性要素は、一対のねじりバネを備え、それぞれ、前記横材に結合される、第１のバネ端を有し、それぞれ、前記対のハンドルの対応する１つの移動に応答する、第２のバネ端を有し、バネ軸を中心として、前記ねじりバネを捻転させ、前記対のローラアセンブリを引っ張られた状態に向かって引っ張るステップをさらに含む、請求項３１に記載の方法。
【請求項３５】
マッサージデバイスを生産する方法であって、
ａ）第１の横材端と第２の横材端との間に配置される長さを有する、横材を提供するステップと、
ｂ）一対のハンドルの１つを前記第１の横材端および前記第２の横材端のそれぞれに結合するステップと、
ｃ）一対のローラアセンブリの１つを前記対のハンドルのそれぞれに回転可能に結合するステップであって、前記対のローラアセンブリは、概して、前記対のハンドル間に隣接関係にあるように配置される、ステップと
を含む、方法。
【請求項３６】
前記横材に、十分な弾力のある撓曲性を提供し、前記横材が、力を込めた付勢に応じて、より大きな距離を空けて離れるように、前記対のローラマッサージアセンブリを配置することを可能にするステップをさらに含む、請求項３５に記載の方法。
【請求項３７】
ａ）第１のハンドル端と第２のハンドル端との間にハンドルグリップを配置するステップと、
ｂ）一対の心棒支持体を１つずつ、前記第１のハンドル端および前記第２のハンドル端に結合するステップであって、前記対の心棒支持体は、前記ハンドルグリップから外向きにある距離だけ延在する、ステップと、
ｃ）心棒の第１の心棒端および第２の心棒端を前記対の心棒支持体の対応する１つに結合するステップと、
ｄ）前記対のアセンブリの１つを各前記心棒に回転可能に結合するステップと
をさらに含む、請求項３５に記載の方法。
【請求項３８】
前記対の心棒支持体によって、前記対のローラアセンブリの１つを前記対のハンドルの対応する１つに結合し、前記対のローラアセンブリの外側周縁と前記対のハンドルとの間に一対の貫通部を画定するステップをさらに含み、前記対の貫通部はそれぞれ、十分な寸法関係を有し、手が、対応する１つの前記対のローラアセンブリの前記外側周縁に係合せず、前記ハンドルの前記ハンドルグリップを把持するように係合することを可能にする、請求項３７に記載の方法。
【請求項３９】
複数のローラ要素として、前記対のローラアセンブリのそれぞれを提供するステップをさらに含み、前記複数のローラ要素はそれぞれ、離散するように、前記対の心棒の対応する１つに回転可能に結合される、請求項３８に記載の方法。
【請求項４０】
複数のローラ要素を有する一体型ローラとして、前記対のローラアセンブリのそれぞれを提供するステップをさらに含み、前記一体型ローラはそれぞれ、前記対の心棒の対応する１つに回転可能に結合される、請求項３８に記載の方法。
【請求項４１】
前記一体型ローラは、一対の端部分間に配置される、中間部分を有し、前記中間部分に、前記対の端部分のそれぞれにおける前記複数のローラ要素より小さい直径を有する、前記複数のローラ要素を提供するステップをさらに含む、請求項４０に記載の方法。
【請求項４２】
前記複数のローラ要素のそれぞれに、直径約１インチ〜約３インチを提供するステップをさらに含む、請求項３９に記載の方法。
【請求項４３】
前記複数のローラ要素のそれぞれに、厚さ約３／８インチ〜約１／２インチを提供するステップをさらに含む、請求項４２に記載の方法。
【請求項４４】
前記複数のローラ要素を前記心棒に沿って離間係合に配置するステップをさらに含む、請求項４３に記載の方法。
【請求項４５】
ローラ間空間約１／８インチ〜約１／２インチインチを提供するステップをさらに含む、請求項４４に記載の方法。
【請求項４６】
前記複数のローラ要素のそれぞれの前記外側周縁は、円形外側周縁、楕円形外側周縁、六角形外側周縁、七角形外側周縁、八角形外側周縁から成る群から選択される、請求項４５に記載の方法。
【請求項４７】
前記心棒に沿って隣接係合にある、前記複数のローラ要素を提供するステップをさらに含む、請求項３９に記載の方法。
【請求項４８】
ハブ要素を中心として結合される環状部材として、前記ローラ要素のそれぞれを提供するステップと、前記ハブ要素を前記心棒に回転可能に係合するステップとをさらに含む、請求項３９に記載の方法。
【請求項４９】
前記第１の心棒端と前記第２の心棒端との間の前記心棒を湾曲させるステップをさらに含む、請求項３９に記載の方法。
【請求項５０】
半径約１２インチ〜約３０インチを画定する、前記第１の心棒端と前記第２の心棒端との間にある曲率量を提供するステップをさらに含む、請求項４９に記載の方法。
【請求項５１】
実質的に、剛性環状部材として、前記環状部材を提供するステップをさらに含む、請求項４８に記載の方法。
【請求項５２】
弾力のある弾性環状部材として、前記環状部材を提供するステップをさらに含む、請求項４８に記載の方法。
【請求項５３】
前記弾力のある弾性部材は、ポリウレタンエラストマーから形成される、請求項５２に記載の方法。
【請求項５４】
前記エラストマーは、硬度約５０Ａ〜約９０Ａを有する、請求項５３に記載の方法。
【請求項５５】
第１のハンドル支持体端によって、前記第１の横材端および前記第２の横材端に近接して、第１の対のハンドル支持体を枢動可能に結合するステップと、前記第１のハンドル端および前記第２のハンドル支持体端に近接して、前記第１の対のハンドル支持体を枢動可能に結合するステップとをさらに含む、請求項３９に記載の方法。
【請求項５６】
前記第１のハンドル支持体端によって、前記第１の対のハンドル支持体および第２の対のハンドル支持体から内向きに、前記横材に枢動可能に結合するステップをさらに含み、前記第２のハンドル支持体端は、対応するように、前記対の心棒支持体に枢動可能に結合される、請求項５５に記載の方法。
【請求項５７】
１つ以上の弾性要素を提供するステップをさらに含み、前記対のハンドルは、前記弾性要素に回転可能に応答し、前記対のローラアセンブリ間の距離を閉鎖状態に向かって縮小させる、請求項５６に記載の方法。
【請求項５８】
一対の延在バネとして、前記弾性要素を提供するステップをさらに含み、それぞれ、前記横材に結合される、第１のバネ端を有し、それぞれ、前記対のハンドルの対応する１つの移動に応答する、第２のバネ端を有し、前記対の延在バネを伸展させ、前記対のローラアセンブリを前記開放状態に向かって引っ張るステップをさらに含む、請求項５７に記載の方法。
【請求項５９】
一対のねじりバネとして、前記弾性要素を提供するステップをさらに含み、それぞれ、前記横材に結合される、第１のバネ端を有し、それぞれ、前記対のハンドルの対応する１つの移動に応答する、第２のバネ端を有し、バネ軸を中心として、前記ねじりバネを捻転させ、前記対のローラアセンブリを引っ張られた状態に向かって引っ張るステップをさらに含む、請求項５７に記載の方法。
【発明の詳細な説明】
【技術分野】
【０００１】
この国際特許出願は、２０１２年１０月２９日に出願された、米国デザイン特許出願第２９／４３５，８１２号の継続出願であり、２０１１年１１月７日に出願された、米国仮特許出願第６１／６２８，８８２号の利益を主張するものであり、各出願は、参照により本明細書中に援用される。
【０００２】
ローラマッサージシステムは、対向する調節可能離間関係にある一対のローラマッサージアセンブリを提供し、身体の対応するマッサージ可能部分上の対のローラマッサージアセンブリのそれぞれの係合を可能にする。
【背景技術】
【０００３】
従来のマッサージデバイスは、身体の表面に沿って引っ張られ得る、ローラを提供する場合がある。身体の表面上にローラによって付与される圧力の量は、直接、マッサージデバイス上にユーザによって付与される力の量に依存する。故に、身体の異なる部分が、異なるように処置され得る。加えて、ユーザは、疲労を経験し得、印加される力の量は、身体のマッサージ可能部分毎に多かれ少なかれ変動し得る、またはユーザは、身体のマッサージ可能部分のマッサージを完了することが不可能となり得る。
【発明の概要】
【発明が解決しようとする課題】
【０００４】
本発明は、従来のマッサージデバイスに関連する問題に対処する、ローラマッサージシステムおよびマッサージの方法を提供する。
【課題を解決するための手段】
【０００５】
故に、本発明の広範な目的は、対向する調節可能離間関係にある一対のローラマッサージアセンブリを有し、身体の対応するマッサージ可能部分上の対のローラマッサージアセンブリのそれぞれの係合を可能にする、ローラマッサージシステムを提供することであり得る。
【０００６】
本発明の別の実質的目的は、ローラアセンブリのそれぞれを身体の対応するマッサージ可能部分上に係合する際に有用である、実質的に平行の対向する関係を維持しながら、対のローラマッサージアセンブリが、閉鎖状態と開放状態との間を進行することを可能にするように機能する、第１および第２の対のハンドル支持体を有する、ローラマッサージシステムを提供することであり得る。
【０００７】
本発明の別の実質的目的は、それぞれ、対のローラマッサージアセンブリが、ユーザの手によって力を込めた付勢を受けて、対のハンドルを離れるように引っ張ることによって、閉鎖状態と開放状態との間を進行することを可能にする、対のローラマッサージアセンブリの対応する１つに結合される、一対のハンドルを提供することであり得る。
【０００８】
当然ながら、本発明のさらなる目的は、明細書の他の部分、図面、写真、および請求項全体を通して開示される。
【図面の簡単な説明】
【０００９】
【図１】図１は、本発明のローラマッサージデバイスの実施形態を使用する方法の例証である。
【図２】図２は、本発明のローラマッサージデバイスの特定の実施形態の斜視図である。
【図３】図３は、閉鎖状態における、本発明のローラマッサージデバイスの特定の実施形態の正面図である。
【図４】図４は、開放状態における、本発明のローラマッサージデバイスの特定の実施形態の正面図である。
【図５】図５は、本発明のローラマッサージデバイスの特定の実施形態の側面図である。
【図６】図６は、本発明のローラマッサージデバイスの特定の実施形態の上面図である。
【図７】図７は、本発明のローラマッサージデバイスの特定の実施形態の底面図である。
【図８】図８は、一対の線形心棒および延在バネの形態における弾性部材を有する、本発明のローラマッサージデバイスの特定の実施形態の側面図である。
【図９】図９は、十分に弾力的に可撓性であって、一対のハンドルが離れるように引っ張られることを可能にする横材を有する、本発明のローラマッサージデバイスの特定の実施形態の側面図である。
【図１０】図１０は、第２の部分に枢動可能に結合される第１の部分を含み、一対のハンドルが離れるように引っ張られることを可能にする横材を有する、本発明のローラマッサージデバイスの特定の実施形態の斜視図である。
【発明を実施するための形態】
【００１０】
最初に、主に、図１−１０を参照すると、本発明のローラマッサージデバイス（１）の実施形態は、一対のローラアセンブリ（２）（３）を提供する。対のローラアセンブリ（２）（３）はそれぞれ、１つ以上のローラ要素（４）を含むことができる。特定の実施形態によると、対のローラアセンブリ（２）（３）はそれぞれ、１つのローラ要素（４）を有することができる。他の実施形態によると、対のローラアセンブリ（２）（３）はそれぞれ、用途に応じて、２つ、３つ、４つ、５つ、６つ、またはそれ以上等、複数のローラ要素（４）を有することができる。対のローラアセンブリ（２）（３）のそれぞれの１つのローラ要素（４）または複数のローラ要素（４）は、対応するように、一対の心棒（５）（６）に回転可能に結合されることができる。
【００１１】
複数のローラ要素（４）を有する実施形態によると、対のローラアセンブリ（２）（３）の複数のローラ要素（４）はそれぞれ、対応するように、対の心棒（５）（６）のそれぞれの長さに沿って、隣接当接係合（７）（図８の実施例に示されるように）または離間係合（８）（図３および４の実施例に示されるように）において、対の心棒（５）（６）に回転可能に結合されることができる。
【００１２】
特定の実施形態によると、対の心棒（５）（６）は、対応するように、対向する隣接関係（１０）（図３の実施例に示されるように）またはある距離だけ離れて対向する鏡像対称（１０）（図４の実施例に示されるように）において、対のローラアセンブリ（２）（３）の１つ以上のローラ要素（４）の外側周縁（９）に位置するように、ある距離だけ離れて鏡像対称に配置または維持されることができる。
【００１３】
他の実施形態によると、対の心棒（５）（６）および対応する対のローラアセンブリ（２）（３）は、以下にさらに説明されるように、対のローラアセンブリ（２）（３）を種々の空間関係に配置するように調節されることができる。
【００１４】
対の心棒（５）（６）はそれぞれ、対向する心棒端（１１）（１２）間に配置される長さを有する、線形（１３）（図８の実施例に示されるように）であることができる。しかしながら、本発明は、そのように限定されず、対の心棒（５）（６）はそれぞれ、弓状である、または対向する心棒端（１１）（１２）間に曲率量（１４）を有することができる（図３および４の実施例に示されるように）。対の心棒（５）（６）のそれぞれにおける曲率量（１４）は、多かれ少なかれ、１つ以上のローラ要素（４）と身体（１６）のマッサージ可能部分（１５）の対応する曲率の係合という利点を提供する曲率量（１４）であることができる。
【００１５】
図１の実施例によって示されるように、身体（１６）のマッサージ可能部分（１５）は、脚部（１７）の上側部分等、概して、管状であり得る。特定の実施形態による曲率量（１４）は、対の心棒（５）（６）が、概して、線形（１３）構成である実施形態より均一性を伴って、複数のローラ要素（４）が、身体（１６）のマッサージ可能部分（１５）の対応する曲率に係合することを可能にするために十分なものであることができる。特定の実施形態によると、対の心棒（５）（６）のそれぞれにおける曲率量（１４）は、範囲約１２インチ〜約３０インチ内の半径を画定することができるが、特定の実施形態によると、対の心棒（５）（６）のそれぞれの曲率量（１４）によって画定される半径は、用途に応じて、より大きいまたはより小さくあることができる。
【００１６】
次に、主に、図１−１０を参照すると、１つ以上のローラ要素（４）はそれぞれ、外側周縁（９）および中心開口要素（１９）を画定する、環状部材（１８）の形態であることができる。対の心棒（５）（６）は１つずつ、中心開口要素（１９）を貫通し、心棒長（２０）に沿って、複数のローラ要素（４）の隣接当接係合（７）または離間係合（８）を可能にする。ある実施形態によると、１つ以上のローラ要素（４）はそれぞれさらに、中心開口要素（１９）を含む、ハブ要素（２１）を含むことができる。環状部材（１８）は、対の心棒（５）（６）の１つずつを中心としたハブ要素（２１）の回転が、環状部材（１８）内に対応する回転を生じさせるように、ハブ要素（２１）に対して固着固定関係にあることができる。中心開口要素（１９）は、中心開口要素（１９）を画定する、軸受内側軌道輪（２３）と、対の心棒（５）（６）の対応する１つを中心とする１つ以上のローラ要素（４）の回転の摩擦を低減させるように補助する、軸受要素（２５）によって分離される、軸受外側軌道輪（２４）とを有する、１つ以上のローラ要素軸受（２２）の形態であることができる。ハブ要素（２１）は、金属、セラミック、プラスチック、木材、または同等物等の任意の実質的に剛性の材料から作製されることができる。環状部材（１８）の特定の実施形態もまた、前述のような実質的に剛性の材料から作製されることができる、または他の実施形態によると、可塑化樹脂、シリコーンゴム、フルオロポリマー、天然または合成ゴム、ポリウレタン、あるいは同等物等、身体（１６）のマッサージ可能部分（１５）との係合に応じて、ある程度変形する、弾力的に弾性材料から作製されることもできる。
【００１７】
次に、主に、図２および７を参照すると、１つ以上のローラ要素（４）は、略円形外側周縁（９）を画定することができる（図２の実施例に示されるように）。しかしながら、本発明は、そのように限定されず、ローラ要素（４）はそれぞれ、身体（１６）のマッサージ可能部分（１５）をマッサージする際に有用である、外側周縁（９）を画定することができる。外側周縁（９）は、例証的実施例として、円形外側周縁、楕円形外側周縁、六角形外側周縁、七角形外側周縁、八角形外側周縁、または同等物を画定することができ、これは、種々の順列および組み合わせで使用されることができる。
【００１８】
図１−１０に示される例証的実施例によると、４つのローラ要素（４）が、対の心棒（５）（６）のそれぞれに回転可能に結合されることができ、それぞれ、用途に応じて、直径（２６）範囲約１〜約３インチ（図５の実施例に示されるように）および厚さ約３／８インチ〜約１インチ（図５の実施例に示されるように）を有する。しかしながら、本発明は、用途に応じて、より大きいまたはより小さい直径（２６）を有する、実施形態を含むことができる。示されるような４つのローラ要素（４）の離間係合（８）は、用途に応じて、範囲約１／８インチ〜約１／２インチインチのローラ間空間（２７）を提供することができる。しかしながら、ある実施形態は、前述のような隣接当接係合（７）を有する、ローラ要素（４）を有してもよい（図８の実施例に示されるように）。
【００１９】
特定の実施形態によると、対のローラアセンブリ（２）（３）はそれぞれ、複数のローラ要素（４）を有する、一体型ローラ（２８）として提供されることができる（図９の実施例の破線に示されるように）。一体型ローラ（２８）の実施形態は、離散するように、形成または加工され、続いて、一体型ローラ（２８）を提供するように相互接続される、複数のローラ要素（４）、あるいは一体型ローラ（２８）として、同時に形成または加工される、複数のローラ要素（４）を提供することができる。一体型ローラ（２８）を提供する実施形態では、複数のローラ（４）は全て、線形心棒（１３）を中心とした同一の割合で、対の心棒（５）（６）の対応する１つを中心として回転する（破線内に示される一体型ローラ（２８）を伴う、図８の実施例に示されるように）。特定の実施形態によると、一体型ローラ（２８）は、中間部分（６９）および一対の端部分（７０）を有することができる。中間部分（６９）に配置される、複数のローラ要素（４）の部分は、対の端部分（７０）に配置される複数のローラ要素（４）の部分より小さい直径を有することができる。
【００２０】
次に、主に、図１、３、および４を参照すると、ローラマッサージデバイス（１）はさらに、一対のハンドル（２９）（３０）を提供することができ、それぞれ、ユーザ（３３）の一対の手（３１）（３２）の対応する１つとの把持可能係合のために構成される（図１の実施例に示されるように）。対のハンドル（２９）（３０）は、対のハンドル（２９）（３０）の進行（６７）（６８）が、対のローラアセンブリ（２）（３）の対応する進行をもたらすように、対応する対のローラアセンブリ（２）（３）に応答するように作製されることができる。一例証的実施例として、対のハンドル（２９）（３０）のそれぞれは、第１のハンドル端（３５）と第２のハンドル端（３６）との間に配置される、ハンドルグリップ（３４）と、対応するように、第１のハンドル端（３５）および第２のハンドル端（３６）に結合される、一対の心棒支持体（３７）（３８）とを含むことができる。対の心棒支持体（３７）（３８）は、概して、対向する関係において、対応するように、ハンドルグリップ（３４）の第１のハンドル端（３５）および第２のハンドル端（３６）から延在し、貫通部（３９）を画定する。対向する心棒端部（１１）（１２）（また、第１の心棒端（１１）および第２の心棒端（１２）とも称される）は、対応するように、対の心棒支持体（３７）（３８）に結合し、対のローラアセンブリ（２）（３）の対応する１つを貫通部（３９）内に配置する。貫通部（３９）はさらに、対のローラアセンブリ（２）（３）の対応する１つの１つ以上のローラ要素（４）の外側周縁（９）と、対のハンドル（２９）（３０）の対応する１つとの間に十分な開放空間を提供し、ユーザ（３３）の対の手（３１）（３２）の１つずつが、対のローラアセンブリ（２）（３）の対応する１つの外側周縁（９）に係合せずに、対のハンドル（２９）（３０）の１つのハンドルグリップ（３４）を把持するように係合することを可能にする。
【００２１】
次に、主に、図１−１０を参照すると、ローラマッサージデバイス（１）はさらに、横材（４０）を含むことができる、それに対して、対のハンドル（２９）（３０）は、直接または間接的に、対のローラマッサージアセンブリ（２）（３）の１つ以上のローラ要素（４）を実質的に対向する隣接関係（１０）に配置するように結合されることができる（図３の実施例に示されるように）（また、「閉鎖状態」（４１）とも称される）。横材（４０）の構造または対のハンドル（２９）（３０）が横材（４０）に結合する様式（あるいは、両方）は、ユーザ（３３）が、外向きに力を込めた付勢を受けて、対のハンドル（２９）（３０）を離れるように引っ張り、身体（１６）のマッサージ可能部分（１５）を中心として配置されるように十分な距離だけ離して、１つ以上のローラ要素（４）を配置することを可能にする（図４の実施例に示されるように）（また、「開放状態」（４２）とも称される）。
【００２２】
次に、主に、図９を参照すると、ある実施形態によると、対のハンドル（２９）（３０）は、対応するように、第１の横材端（４３）および第２の横材端（４４）に近接して接続されることができる。横材（４０）は、十分に弾力的に可撓性であって（４５）、ユーザ（３３）による開放状態（４２）に向かう外向きの力を込めた付勢を受けて、対のハンドル（２９）（３０）が離れるように引っ張られることを可能にすることができる。これらの実施形態によると、横材（４０）および対のハンドル（２９）（３０）は、一体型として生産されてもよい。
【００２３】
次に、主に、図１０を参照すると、他の実施形態によると、横材（４０）は、中心で枢動可能に継合される、第１の部分（４６）および第２の部分（４７）から形成され、十分な力を込めた付勢を受けて、対のハンドル（２９）（３０）が離れるように引っ張られ、横材枢動要素（４９）の中心枢動軸（４８）を中心とする対のハンドル（２９）（３０）の回転を生成し、開放状態（４２）を達成することを可能にすることができる。
【００２４】
次に、主に、図１−７を参照すると、他の実施形態によると、横材（４０）は、一体型の実質的に非可撓性の横材（４０）の形態をとることができ、それに対して、対のハンドル（２９）（３０）が１つずつ、第１の横材端（４３）および第２の横材端（４４）に近接して、枢動可能に継合する。一対のハンドル枢動部（５４）の対応する１つを中心とする対のハンドル（２９）（３０）のそれぞれの回転は、ユーザ（３３）による外向きの力を込めた付勢を受けて、対のハンドル（２９）（３０）が離れるように引っ張られ、開放状態（４２）を達成することを可能にする。
【００２５】
次に、主に、図１−７を参照すると、ローラマッサージデバイス（１）はさらに、第１の対のハンドル支持体（５０）（５１）を含むことができ、それぞれ、第１のハンドル支持体端（５２）と第２のハンドル支持体端（５３）との間に配置される長さを有する。第１の対のハンドル支持体（５０）（５１）はそれぞれ、第１のハンドル支持体端（５２）によって、横材（４０）の第１の横材端（４３）および第２の横材端（４４）の対応する１つに枢動可能に結合されることができる。第１の対のハンドル支持体（５０）（５１）はそれぞれ、第２のハンドル支持体端（５３）によって、対のハンドル（２９）（３０）の対応する１つに枢動可能に結合されることができる。
【００２６】
ユーザ（３３）による開放状態（４２）に向かう対のハンドル（２９）（３０）の外向きの力を込めた付勢は、対応する対の第１のハンドル支持体端枢動部（５４）を中心とした第１の対のハンドル支持体（５０）（５１）の回転を生じさせる。対のハンドル（２９）（３０）はさらに、対応する対の第２のハンドル支持体端枢動部（５５）を中心として回転され、対のローラアセンブリ（２）（３）の空間関係を改変することができる。
【００２７】
第１の対のハンドル支持体（５０）（５１）を含む、実施形態は、対のローラアセンブリ（２）（３）が、より大きな進行範囲にわたって、対向して左右相称に配置されることを可能にする利点をもたらし、さらに、ユーザ（３３）が、用途に応じて、対のローラアセンブリ（２）（３）を他の空間関係に配置することを可能にする利点をもたらす。
【００２８】
再び、主に、図１−７を参照すると、ローラマッサージデバイス（１）はさらに、第２の対のハンドル支持体（５６）（５７）を含むことができ、それぞれ、第２の第１のハンドル支持体端（５８）と第２の第２のハンドル支持体端（５９）との間に配置される長さを有する。第２の対のハンドル支持体（５６）（５７）はそれぞれ、第２の第１のハンドル支持体端（５８）によって、第１の対のハンドル支持体（５０）（５１）から内向きに、ある距離において、横材（４０）に枢動可能に結合され、第２の第２のハンドル支持体端（５９）によって、第１の対のハンドル支持体（５０）（５１）から内向きに、ある距離において、ハンドル（２９）（３０）に枢動可能に結合されることができる。
【００２９】
ユーザ（３３）による開放状態（４１）に向かう対のハンドル（２９）（３０）の外向きの力を込めた付勢は、対応する対の第１および第２の第１のハンドル支持体端枢動部（５４）（５８）および対の第１および第２の第２のハンドル支持体端枢動部（５５）（５９）を中心とした第１の対のハンドル支持体（５０）（５１）および第２の対のハンドル支持体（５６）（５７）の回転を生成し、対のハンドル（２９）（３０）が離れるように引っ張られることを可能にする。しかしながら、第２の対のハンドル支持体（５６）（５７）は、第１の対のハンドル支持体（５０）（５１）に連動して、対のハンドル（２９）（３０）の回転範囲を制限し、閉鎖状態（４１）と開放状態（４２）との間の進行範囲全体にわたって、概して、対向する鏡像対称において、対のローラアセンブリ（２）（３）を配置する（図３および４の実施例に示されるように）。
【００３０】
再び、主に、図１−８を参照すると、ローラマッサージデバイス（１）はさらに、対のハンドル（２９）（３０）に作用し、閉鎖状態（４１）に向かう対のローラアセンブリ（２）（３）の進行を生じさせる、１つ以上の弾性要素（６０）を含むことができる。弾性要素（６０）は、弾性部材、弾性コード、弾性バンド、バネ要素、延在バネ、コイルバネ、ねじりバネ、または同等物を備える、またはそれらから成る群から選択されることができ、伸展または捻転されると、弾性要素（６０）を元の非伸展または非捻転状態に戻す傾向にある、復元力を付与する。
【００３１】
一例証的実施例として、弾性バンド、弾性コード、または延在バネの形態にある、弾性要素（６０）の第１の弾性要素端（６１）および第２の弾性要素端（６２）は、対応するように、横材（４０）の中心および対応するハンドル（２９）（３０）のそれぞれに近接して接続され、閉鎖状態（４１）に向かう対応する対のローラアセンブリ（２）（３）の進行を生じさせることができる（図８の実施例に示されるように）。
【００３２】
別の例証的実施例として、ねじりバネ（６９）の形態にある、弾性要素（６０）は、第１のハンドル支持体端枢動部（５４）を中心として巻着されることができる（図１−７の実施例に示されるように）。第１のバネ端（６３）はそれぞれ、横材（４０）に係合されることができ、第２のバネ端（６４）はそれぞれ、対のハンドル（２９）（３０）の対応する１つの移動に応答することができる。ユーザ（３３）による開放状態（４２）に向かう対のハンドル（２９）（３０）の外向きの力を込めた付勢は、第１のハンドル支持体端枢動部（５４）の枢動軸（６６）と一致する、バネ軸（６５）を中心として、ねじりバネ（６９）を捻転させる。対のハンドル（２９）（３０）の力を込めた付勢の解放は、ねじりバネ（６９）を非捻転状態に向かって戻し、対のハンドル（２９）（３０）を閉鎖状態（４１）に向かって付勢する。
【００３３】
次に、主に、図１を参照すると、図１−７に示されるローラマッサージデバイス（１）の実施形態を使用したマッサージの方法を図示するが、本方法は、図８−１０を含むが、それらに限定されない、他の実施形態にも適用されることができる。ユーザ（３３）は、一対のハンドル（２９）（３０）のそれぞれを一対の手（３１）（３２）の対応する１つ内に把持するように係合させることができる。閉鎖状態（４１）における対のハンドル（２９）（３０）（図２、３、および８から１０の実施例に示されるように）は、開放状態（４２）に向かって外向きに、十分な距離だけ引っ張られ（図１および４の実施例に示されるように）、対応するように、一対のローラマッサージアセンブリ（２）（３）を身体（１６）のマッサージ可能部分（１５）を中心として対向する関係に配置することができる。ユーザ（３３）は、対のローラマッサージアセンブリ（２）（３）のそれぞれが、身体（１６）のマッサージ可能部分（１５）上に係合するために十分な距離だけ、対のハンドル（２９）（３０）が、閉鎖状態（４２）に向かって戻ることを可能にすることができる。ユーザ（３３）は、身体（１６）のマッサージ可能部分（１５）上において、対のハンドル（２９）（３０）のそれぞれを第１の方向（６７）に力を込めて付勢することによって、対のローラアセンブリ（２）（３）に進行（６７）（６８）を生じさせることができる。ユーザ（３３）は、対のハンドル（２９）（３０）のそれぞれを第２の方向（６９）に力を込めて付勢し、対応するように、第２の方向（６８）に、身体（１６）のマッサージ可能部分（１５）上において、対のローラマッサージアセンブリ（２）（３）に進行を生じさせることができる。
【００３４】
図１の例証的実施例は、人の脚部（１７）の上側部分として、身体（１６）のマッサージ可能部分（１５）を示すが、本発明は、そのように限定されず、身体（１６）のマッサージ可能部分（１５）は、下腿、上腕、下腕、上半身、下半身、臀部、手、足、または同等物等、マッサージ可能部分（１５）上における対のローラマッサージアセンブリ（２）（３）の進行によってマッサージされることができる、身体（１６）の任意の部分であることができる。加えて、ローラマッサージデバイス（１）は、人の身体（１６）の一部をマッサージするように示されるが、本発明は、そのように限定されず、用途は、畜牛、馬、犬、猫、または同等物等、他の動物の身体のマッサージ可能部分を含んでもよい。さらに、図１の実施例は、ローラマッサージデバイス（１）のユーザ（３３）が、ユーザ自身の身体（１６）のマッサージ可能部分（１５）をマッサージするように示されるが、本発明は、そのように限定されず、ローラマッサージデバイス（１）のユーザ（３３）は、身体（１６）のマッサージ可能部分（１５）と別個あるいはそこから独立または離散することができる。
【００３５】
次に、主に、図９を参照すると、特定の実施形態によると、本方法はさらに、横材を弾力的に撓曲させ、該対のローラアセンブリを該引っ張られた状態に向かって引っ張るステップを含むことができ、または図１０に示されるような他の特定の実施形態によると、横材枢動要素（４９）の中心枢動軸（４８）を中心として、横材（４０）の第１の部分（４６）および第２の部分（４７）の回転を生じさせるステップを含むことができる。
【００３６】
前述から容易に理解され得るように、本発明の基本概念は、種々の方法で具現化されてもよい。本発明は、複数の流路粒子分析構造の最良形態およびそのような複数の流路粒子分析構造を使用した粒子分析の方法を含む、複数の流路粒子分析システムの多数かつ変動実施形態を伴う。
【００３７】
したがって、説明によって開示される、あるいは本願に付随する図または表に示される、本発明の特定の実施形態または要素は、限定を意図するものではなく、むしろ、概して、本発明によって包含される多数かつ変動実施形態、またはその任意の特定の要素に関して包含される均等物の例示として意図される。加えて、本発明の単一実施形態または要素の具体的説明は、可能性として考えられる全実施形態または要素を明示的に説明していない場合がある。多くの代替が、説明および図によって暗黙的に開示される。
【００３８】
装置の各要素または方法の各ステップは、装置用語または方法用語によって説明され得ることを理解されたい。そのような用語は、所望であれば、本発明が権利を与えられる暗黙的に広範な適用範囲を明確にするために置換されることができる。単なる一例として、方法の全ステップは、作用、その作用を行う手段、またはその作用を引き起こす要素として開示され得ることを理解されたい。同様に、装置の各要素は、物理的要素、又は該物理的要素が促進する作用として開示され得る。単なる一例として、「流体の流れ」という開示は、明示的に論じられるかどうかにかかわらず、「流体を流れさせる」作用の開示を包含するはずである。逆に言えば、「流体を流れさせる」の事実上の開示がある場合、そのような開示は、「流体の流れ」と、さらに「流体を流れさせるための手段」の開示を包含するものと理解されたい。各要素またはステップのそのような代替用語は、説明に明示的に含まれるものと理解されたい。
【００３９】
加えて、使用する各用語に関して、本願におけるその利用がそのような解釈と矛盾しない限り、一般的な辞書の定義は、各定義が参照によって本明細書に組み込まれる、Ｒａｎｄｏｍ  Ｈｏｕｓｅ  Ｗｅｂｓｔｅｒ’ｓ  Ｕｎａｂｒｉｄｇｅｄ  Ｄｉｃｔｉｏｎａｒｙ，  ｓｅｃｏｎｄ  ｅｄｉｔｉｏｎに収録された各用語の記述に含まれると理解すべきであることを理解されたい。
【００４０】
本明細書の全数値は、明示的に示されるかどうかにかかわらず、用語「約」によって修正されると仮定される。本発明の目的の場合、範囲は、「約」ある特定の値から「約」別の特定の値として表され得る。そのような範囲が表されるとき、別の実施形態は、ある特定の値から他の特定の値を含む。端点による数値範囲の列挙は、その範囲内に包含される、全数値を含む。１から５の数値範囲は、例えば、数値１、１．５、２、２．７５、３、３．８０、４、５等を含む。さらに、範囲のそれぞれの端点は、他の端点と関連して、および他の端点から独立しての両方において、有意であることを理解されたい。値が、先行詞「約」の使用によって、近似値として表されるとき、特定の値は、別の実施形態を形成することを理解されるであろう。
【００４１】
したがって、本出願人は、少なくとも、ｉ）本明細書に開示および説明される、複数の流路粒子分析構造、ｉｉ）開示および説明される、関連方法、ｉｉｉ）これらのデバイスおよび方法のそれぞれの類似物、均等物、さらに暗黙的変形例、ｉｖ）図示、開示、または説明される機能のそれぞれを達成する、それらの代替実施形態、ｖ）開示および説明されるものを達成することが暗黙的である、示される機能のそれぞれを達成する、それらの代替設計および方法、ｖｉ）別個かつ独立した発明として示される、各特徴、構成要素、およびステップ、ｖｉｉ）開示される種々のシステムまたは構成要素によって向上される用途、ｖｉｉｉ）そのようなシステムまたは構成要素によって生産される、結果として生じる製品、ｉｘ）実質的に、本明細書に前述され、付随の実施例のいずれかに関連して記載される、方法および装置、ｘ）開示される前述の要素のそれぞれの種々の組み合わせおよび順列を請求すると理解されたい。
【００４２】
本特許出願の背景の項は、本発明が属する事業分野を記載したものである。本項はまた、技術状況についての情報、問題、または懸念を本発明が導かれるものに関係付ける際に有用である、ある米国特許、特許出願、刊行物、または本発明の主題の言い換えを組み込み、あるいは含むこともできる。本明細書に引用または組み込まれる任意の米国特許、特許出願、刊行物、記載、または他の情報を本発明に関する従来技術として認めるものと読み取り、解釈し、またはそのように見なすことは意図されない。
【００４３】
本国際ＰＣＴ特許明細書に記載の請求項は、本発明のこの説明の一部として、参照することによって本明細書に組み込まれ、本出願人は、そのような請求項のそのような組み込まれた内容の全部または一部を請求項あるいはその任意の要素または構成要素の一部または全部を裏付ける付加的説明として使用する権利を明示的に保有し、本出願人はさらに、必要に応じて、そのような請求項あるいはその任意の要素または構成要素の組み込まれた内容の任意の部分または全部を説明から請求項またはその逆に移動させ、本願によって、あるいはその任意の後続出願または継続、分割、もしくは一部継続出願によって、保護が求められる事項を規定する権利、または任意の国あるいは条約の特許法、規則、もしくは規制の任意の利益、それらに準ずる料金の減額を得る権利、またはそれらに準拠する権利を明示的に保有し、参照することによって組み込まれるそのような内容は、その任意の後続の継続、分割、あるいは一部継続出願またはそれについての任意の再発行もしく延長を含めて、本願の係属中全体を通して存続するものとする。
【００４４】
本明細書に記載の請求項は、該当する場合、さらに、本発明の限定された数の好ましい実施形態の境界線を記述することを意図し、本発明の最も広い実施形態または特許請求することができる本発明の実施形態の完全なリストと解釈すべきではない。本出願人は、上に示した説明に基づいて、あらゆる特許請求の範囲を任意の継続、分割、あるいは一部継続出願または類似の出願の一部として展開するいかなる権利も放棄するものではない。
【図１】
2014532522.tif 000003
【図２】
2014532522.tif 000004
【図３】
2014532522.tif 000005
【図４】
2014532522.tif 000006
【図５】
2014532522.tif 000007
【図６】
2014532522.tif 000008
【図７】
2014532522.tif 000009
【図８】
2014532522.tif 000010
【図９】
2014532522.tif 000011
【図１０】
2014532522.tif 000012
【国際調査報告】
2014532522.tif 000013
2014532522.tif 000014